(57)【要約】【課題】  オプション機器を接続することにより複数のモデルが存在する画像形成装置において、装置本体を大きくすることなく、複数モデルに対応することができる技術を提供する。【解決手段】  ＡＣ電源ラインと、画像形成装置１本体用ＥＣＵ基板上のＡＣ／ＤＣコンバータと、を接続するＡＣ電源供給経路（第１電源ケーブル２５ａと第２電源ケーブル２６ａ）を分岐させるＡＣライン分岐手段１８ａを備える。ＡＣライン分岐手段１８ａにより分岐された第３電源ケーブル２７ａは、ステイプラー装置用のＡＣ／ＤＣコンバータ２８に接続される。【選択図】  図１
2006047774.tif 000002
【特許請求の範囲】
【請求項１】
ＡＣ電源が供給されるＡＣ電源ラインと、
前記ＡＣ電源ラインに接続され、該ＡＣ電源ラインから供給されるＡＣ電源をＤＣ電源に変換するＡＣ／ＤＣコンバータと、
を備え、装置本体に対して少なくとも１つのオプション機器を接続することが可能な画像形成装置において、
前記ＡＣ／ＤＣコンバータに接続される前記ＡＣ電源ラインを分岐させるＡＣ電源供給経路分岐手段を備えることを特徴とする画像形成装置。
【請求項２】
前記ＡＣ電源供給経路分岐手段により分岐されたＡＣ電源供給分岐経路は、装置本体に前記オプション機器が接続される場合に、該オプション機器用に設けられるオプション機器用ＡＣ／ＤＣコンバータに接続されることを特徴とする請求項１に記載の画像形成装置。
【請求項３】
前記ＡＣ電源供給分岐経路は、装置本体に対して接続される前記オプション機器の数と同数設けられ、該オプション機器毎に設けられたオプション機器用ＡＣ／ＤＣコンバータにそれぞれ接続されることを特徴とする請求項２に記載の画像形成装置。
【請求項４】
前記ＡＣ電源供給分岐経路は１つ設けられ、
装置本体に接続される１つのオプション機器として、シートに綴じ処理を行うステイプラー装置が設けられることを特徴とする請求項３に記載の画像形成装置。
【請求項５】
前記ＡＣ電源供給分岐経路は２つ設けられ、
装置本体に接続される２つのオプション機器として、シートに綴じ処理を行うステイプラー装置と、原稿の画像情報を読み取る画像読取装置とが設けられることを特徴とする請求項３に記載の画像形成装置。
【発明の詳細な説明】
【技術分野】
【０００１】
本発明は、シート等の記録媒体上に画像を形成する機能を備えた、例えば、複写機、プリンタ、あるいは、ファクシミリ装置などの画像形成装置に関するものである。
【背景技術】
【０００２】
図１１を用いて従来例について説明する。
【０００３】
画像形成装置に各種オプション機器を附設する場合、図１１に示すように、画像形成装置本体のＡＣ／ＤＣコンバータにより、ＡＣ電源をＤＣ電源へ変換し、その後ＤＣ電源を分岐し、オプション機器に電源を供給している装置がある（例えば、特許文献１参照）。
【特許文献１】特開２００２−１５７０２５号公報
【発明の開示】
【発明が解決しようとする課題】
【０００４】
しかしながら、上記のような従来技術の場合には、画像形成装置に各種オプション機器を付加する場合、画像形成装置本体のＡＣ／ＤＣコンバータに求められる容量が大きくなり、結果、画像形成装置本体のＥＣＵ基板のサイズが大きくなってしまうことが懸念される。
【０００５】
さらに、画像形成装置に各種オプション機器を付加するモデルと付加しないモデルが混在する場合、オプション機器を付加しないモデルも付加するモデルと同様にＥＣＵ基板のサイズも大きくする必要がある。これにより、オプション機器を付加しないモデルも付加するモデルにおいても、画像形成装置本体のサイズが大きくなってしまうことが懸念される。
【０００６】
本発明は上記の従来技術の課題を解決するためになされたもので、その目的とするところは、オプション機器を接続することにより複数のモデルが存在する画像形成装置において、装置本体を大きくすることなく、複数モデルに対応することができる技術を提供することにある。
【課題を解決するための手段】
【０００７】
上記目的を達成するために本発明にあっては、
ＡＣ電源が供給されるＡＣ電源ラインと、
前記ＡＣ電源ラインに接続され、該ＡＣ電源ラインから供給されるＡＣ電源をＤＣ電源に変換するＡＣ／ＤＣコンバータと、
を備え、装置本体に対して少なくとも１つのオプション機器を接続することが可能な画像形成装置において、
前記ＡＣ／ＤＣコンバータに接続される前記ＡＣ電源ラインを分岐させるＡＣ電源供給経路分岐手段を備えることを特徴とする。
【発明の効果】
【０００８】
本発明によれば、オプション機器を接続することにより複数のモデルが存在する画像形成装置において、装置本体を大きくすることなく、複数モデルに対応することが可能となる。
【発明を実施するための最良の形態】
【０００９】
以下に図面を参照して、この発明の好適な実施の形態を、実施例に基づいて例示的に詳
しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【実施例１】
【００１０】
図１〜３，８を用いて、本発明の実施例１について説明する。
【００１１】
図３は本発明の実施例１に係る画像形成装置１のプリンタ２の内部構造を示す概略断面図、図１は本発明の実施例１の特徴的な構成として、ＡＣ電源供給経路分岐手段の取り付け構成を示す概略斜視図、図２は図１に示すＡＣ電源供給経路分岐手段の拡大図、図８は本発明の実施例１における電源の接続を示す模式図である。
【００１２】
まず、本実施例の画像形成装置１の概略構成について、図３を用いて説明する。
【００１３】
画像形成装置１は大きく分けてプリンタ２と読み取りスキャナ３とからなり、読み取りスキャナ３はプリンタ２の上方に、排紙積載部を挟む形で配置されている。
【００１４】
次に、プリンタ２の内部構造について説明する。
【００１５】
図３に示されるプリンタはプロセスカートリッジ４を装着して電子写真方式により画像を形成し、その画像をシートに記録するレーザープリンタである。プロセスカートリッジ４は、筐体内に像担持体としての感光ドラム５を回転可能に設けており、帯電した感光ドラム５に画像情報に応じた光像を照射して、形成した潜像をトナーによってシートに現像する。装置本体の前部には、感光ドラム５に対して光像を照射するためのレーザスキャナユニット６が設けられている。
【００１６】
給紙カセット８内に収納されたシートは、図示されていないホストコンピュータからのプリント信号により、給紙ローラ９とシート分離手段１０によって一枚ずつに分離されて給送される。分離されたシートは搬送ローラ対１１により、感光ドラム５とそれに圧接された転写ローラ１２で構成される転写部に搬送される。
【００１７】
一方、ホストコンピュータからの画像情報は光像としてポリゴンミラー７から感光ドラム５へ照射されて画像情報に応じた潜像が形成され、その潜像はトナーによって現像される事により可視化され、感光ドラム５と転写ローラ１２との圧接部においてトナー像がシートに転写される。トナー像が転写されたシートは定着フィルム１３とそれに圧接された加圧ローラ１４とで構成される定着部に搬送され、トナー像の定着を受ける。トナー像が定着してシートは排紙ローラ対１５により搬送され、プリンタ２の上方部の排紙積載部１６へ排出される。
【００１８】
また、１７は画像形成装置本体用ＥＣＵ基板である。
【００１９】
読み取りスキャナ３は、周知であるフラットベット型の読み取りスキャナである。
【００２０】
次に、図１，２，８を用いて、本実施例の特徴的な構成である、ＡＣ電源供給経路分岐手段（以下、ＡＣライン分岐手段という）について詳しく説明する。
【００２１】
１８ａは本実施例に係るＡＣライン分岐手段、２８はステイプラー３０へ送る電源をＡＣ電源からＤＣ電源へ変換するためのＡＣ／ＤＣコンバータ、２９はＡＣ／ＤＣコンバータ２８により変換されたＤＣ電源をステイプラー３０へ供給するＤＣ電源ケーブル、１９ａはＡＣライン分岐手段１８ａにスイッチを付加するための分岐基板、２０ａは分岐基板
１９ａを側板に取り付けるための分岐基板保持部材を夫々示している。
【００２２】
また、２１ａはＡＣ電源供給を切り替えるスイッチ、２５ａはインレットからＡＣライン分岐手段１８ａへＡＣ電源を供給するための第１電源ケーブル、２６ａはＡＣライン分岐手段１８ａから画像形成装置本体へＡＣ電源を供給するための第２電源ケーブル、２７ａはＡＣライン分岐手段１８ａからＡＣ／ＤＣコンバータ２８へＡＣ電源を供給するための第３電源ケーブルを夫々示している。
【００２３】
また、２２ａは第１電源ケーブル２５ａをＡＣライン分岐手段１８ａに接続するための第１コネクタ、２３ａは第２電源ケーブル２６ａをＡＣライン分岐手段１８ａに接続するための第２コネクタ、２４ａは第３電源ケーブル２７ａをＡＣライン分岐手段１８ａに接続するための第３コネクタを夫々示している。
【００２４】
次に、ＡＣライン分岐手段１８ａの接続形態について述べる。
【００２５】
ＡＣライン分岐手段１８ａは画像形成装置１本体の右側板の後方下部に設けられている。まず、側板に分岐基板保持部材２０ａを取り付け、分岐基板保持部材２０ａに分岐基板１９ａを締結する。
【００２６】
分岐基板１９ａにはスイッチ２１ａ、第１コネクタ２２ａ、第２コネクタ２３ａ、第３コネクタ２４ａが設けられている。インレットと接続された第１電源ケーブル２５ａを第１コネクタ２２ａへ接続することにより、ＡＣ電源をＡＣライン分岐手段１８ａへ供給する。
【００２７】
第１コネクタ２２ａは分岐基板１９ａ上でスイッチ２１ａと接続され、ＡＣ電源供給経路（ＡＣ電源ライン、ＡＣライン）のＯＮ／ＯＦＦの切り替えを行なう。第１コネクタ２２ａは分岐基板１９ａ上で、スイッチ２１ａを経由した後に第２コネクタ２３ａと第３コネクタ２４ａへ並列に接続され、ＡＣラインは２つに分岐される。
【００２８】
第２電源ケーブル２６ａを第２コネクタ２３ａと画像形成装置本体へ接続することにより、画像形成装置本体用ＥＣＵ基板１７上の画像形成装置本体用ＡＣ／ＤＣコンバータへＡＣ電源が供給される。
【００２９】
第３電源ケーブル２７ａを第３コネクタ２４ａへ接続することにより、ステイプラー用ＡＣ／ＤＣコンバータ２８へＡＣ電源が供給される。そこで変換されたＤＣ電源が、ＤＣ電源ケーブル２９を経由し、ステイプラー３０へ供給される。
【００３０】
ここで、画像形成装置本体用ＥＣＵ基板１７上の画像形成装置本体用ＡＣ／ＤＣコンバータに接続されるＡＣ電源ラインとして、第１電源ケーブル２５ａと第２電源ケーブル２６ａとが設けられており、第３電源ケーブル２７ａは、ＡＣ電源供給分岐経路として、ＡＣライン分岐手段１８ａによりＡＣ電源ラインから分岐して設けられているということができる。
【００３１】
以上説明したように本実施例では、画像形成装置１にオプションを付加する場合でも、画像形成装置本体のＡＣ／ＤＣコンバータの容量を大きくする必要がないため、画像形成装置本体のＥＣＵ基板（画像形成装置本体用ＥＣＵ基板１７）を大きくすることなくオプションを付加することが可能となる。
【００３２】
そのため、各種オプション機器を設置可能な画像形成装置において、画像形成装置本体の小型化が可能となる。すなわち、複数のオプション機器を設置する場合や、オプション
機器を設置（付加）するモデルと設置しないモデルとが混在する場合、画像形成装置本体を大きくする必要がなくなる。特に、オプション機器を設置するモデルと設置しないモデルとが混在する画像形成装置において、オプションを設置しないモデルの画像形成装置本体を大きくする必要がなくなり、画像形成装置本体の小型化が可能となる。
【実施例２】
【００３３】
図４，５，９を用いて、本発明の実施例２について説明する。
【００３４】
図４は、本発明の実施例２の特徴的な構成として、ＡＣ電源供給経路分岐手段の取り付け構成を示す概略斜視図、図５は図４に示すＡＣ電源供給経路分岐手段の拡大図、図９は本発明の実施例２における電源の接続を示す模式図である。なお、本実施例に係る画像形成装置の基本的な構成は、図３を用いて説明した実施例１に係る画像形成装置と同様であり、実施例１と同様の構成部分については同一の符号を付して、その説明は省略する。
【００３５】
以下に、図４，５，９を用いて、本実施例の特徴的な構成である、ＡＣライン分岐手段について詳しく説明する。
【００３６】
１８ｂは本実施例に係るＡＣライン分岐手段、２８はステイプラー３０へ送る電源をＡＣ電源からＤＣ電源へ変換するためのＡＣ／ＤＣコンバータ、２９はＡＣ／ＤＣコンバータ２８により変換されたＤＣ電源をステイプラー３０へ供給するＤＣ電源ケーブル、２１ｂはＡＣ電源供給を切り替えるスイッチを夫々示している。
【００３７】
また、２５ｂはインレットからＡＣライン分岐手段１８ｂへＡＣ電源を供給するための第１電源ケーブル、２６ｂはＡＣライン分岐手段１８ｂから画像形成装置本体へＡＣ電源を供給するための第２電源ケーブル、２７ｂはＡＣライン分岐手段１８ｂからＡＣ／ＤＣコンバータ２８へＡＣ電源を供給するための第３電源ケーブル、１９ｂはスイッチ２１ｂ，第１電源ケーブル２５ｂ，第２電源ケーブル２６ｂ，第３電源ケーブル２７ｂを接続するための分岐基板、２０ｂは分岐基板１９ｂを側板に取り付けるための分岐基板保持部材を夫々示している。
【００３８】
次に、ＡＣライン分岐手段１８ｂの接続形態について述べる。
【００３９】
ＡＣライン分岐手段１８ｂは画像形成装置１本体の右側板の後方下部に設けられている。まず、側板に分岐基板保持部材２０ｂを取り付け、分岐基板保持部材２０ｂに分岐基板１９ｂを締結する。
【００４０】
分岐基板１９ｂにはスイッチ２１ｂ、第１電源ケーブル２５ｂ、第２電源ケーブル２６ｂ、第３電源ケーブル２７ｂが直接取り付けられている。インレットと接続された第１電源ケーブル２５ｂにより、ＡＣ電源をＡＣライン分岐手段１８ｂへ供給する。分岐基板１９ｂ上で第１電源ケーブル２５ｂとスイッチ２１ｂとが接続され、ＡＣラインのＯＮ／ＯＦＦの切り替えを行なう。
【００４１】
第１電源ケーブル２５ｂは分岐基板１９ｂ上で、スイッチ２１ｂを経由した後に第２電源ケーブル２６ｂと第３電源ケーブル２７ｂとへ並列に接続され、ＡＣラインは２つに分岐される。
【００４２】
第２電源ケーブル２６ｂを画像形成装置１本体へ接続することにより、画像形成装置本体用ＥＣＵ基板１７上の画像形成装置本体用ＡＣ／ＤＣコンバータへＡＣ電源が供給される。
【００４３】
また、第３電源ケーブル２７ｂにより、ステイプラー用ＡＣ／ＤＣコンバータ２８へＡＣ電源が供給される。そこで変換されたＤＣ電源が、ＤＣ電源ケーブル２９を経由し、ステイプラー３０へ供給される。
【００４４】
以上説明したように本実施例では、画像形成装置１にオプションを付加する場合でも、画像形成装置本体のＡＣ／ＤＣコンバータの容量を大きくする必要がないため、画像形成装置本体のＥＣＵ基板（画像形成装置本体用ＥＣＵ基板１７）を大きくすることなく、オプションを付加することが可能となる。
【００４５】
そのため、各種オプション機器を設置可能な画像形成装置において、画像形成装置本体の小型化が可能となる。すなわち、複数のオプション機器を設置する場合や、オプション機器を設置（付加）するモデルと設置しないモデルとが混在する場合、画像形成装置本体を大きくする必要がなくなる。特に、オプション機器を設置するモデルと設置しないモデルとが混在する画像形成装置において、オプションを設置しないモデルの画像形成装置本体を大きくする必要がなくなり、画像形成装置本体の小型化が可能となる。
【００４６】
また、第１電源ケーブル２５ｂ、第２電源ケーブル２６ｂ、第３電源ケーブル２７ｂがコネクタを経由することなく、分岐基板１９ｂに直接取り付けられることにより、コネクタの着脱作業が省けるというメリットを生かすことができる。
【実施例３】
【００４７】
図６，７，１０を用いて、本発明の実施例３について説明する。
【００４８】
図６は、本発明の実施例３の特徴的な構成として、ＡＣ電源供給経路分岐手段の取り付け構成を示す概略斜視図、図７は図６に示すＡＣ電源供給経路分岐手段の拡大図、図１０は本発明の実施例３における電源の接続を示す模式図である。なお、本実施例に係る画像形成装置の基本的な構成は、図３を用いて説明した実施例１に係る画像形成装置と同様であり、実施例１と同様の構成部分については同一の符号を付して、その説明は省略する。
【００４９】
以下に、図６，７，１０を用いて、本実施例の特徴的な構成である、ＡＣライン分岐手段について詳しく説明する。
【００５０】
１８ｃは本実施例に係るＡＣライン分岐手段、２８はステイプラー３０へ送る電源をＡＣ電源からＤＣ電源へ変換するための第１ＡＣ／ＤＣコンバータ、３３は読み取りスキャナ３へ送る電源をＡＣ電源からＤＣ電源へ変換するための第２ＡＣ／ＤＣコンバータ、２９は第１ＡＣ／ＤＣコンバータ２８により変換されたＤＣ電源をステイプラー３０へ供給する第１ＤＣ電源ケーブル、３４は第２ＡＣ／ＤＣコンバータ３３により変換されたＤＣ電源を読み取りスキャナ３へ供給する第２ＤＣ電源ケーブル、１９ｃはＡＣライン分岐手段１８ｃにスイッチを付加するための分岐基板、２０ｃは分岐基板１９ｃを側板に取り付けるための分岐基板保持部材を夫々示している。
【００５１】
また、２１ｃはＡＣ電源供給を切り替えるスイッチ、２５ｃはインレットからＡＣライン分岐手段１８ｃへＡＣ電源を供給するための第１電源ケーブル、２６ｃはＡＣライン分岐手段１８ｃから画像形成装置本体へＡＣ電源を供給するための第２電源ケーブル、２７ｃはＡＣライン分岐手段１８ｃから第１ＡＣ／ＤＣコンバータ２８へＡＣ電源を供給するための第３電源ケーブル、３２ｃはＡＣライン分岐手段１８ｃから第２ＡＣ／ＤＣコンバータ３３へＡＣ電源を供給するための第４ケーブルを夫々示している。
【００５２】
また、２２ｃは第１電源ケーブル２５ｃをＡＣライン分岐手段１８ｃに接続するための第１コネクタ、２３ｃは第２電源ケーブル２６ｃをＡＣライン分岐手段１８ｃに接続する
ための第２コネクタ、２４ｃは第３電源ケーブル２７ｃをＡＣライン分岐手段１８ｃに接続するための第３コネクタ、３１ｃは第４電源ケーブル３２ｃをＡＣライン分岐手段１８ｃに接続するための第４コネクタを夫々示している。
【００５３】
次に、ＡＣライン分岐手段１８ｃの接続形態について述べる。
【００５４】
ＡＣライン分岐手段１８ｃは画像形成装置１本体の右側板の後方下部に設けられている。まず、側板に分岐基板保持部材２０ｃを取り付け、分岐基板保持部材２０ｃに分岐基板１９ｃを締結する。
【００５５】
分岐基板１９ｃにはスイッチ２１ｃ、第１コネクタ２２ｃ、第２コネクタ２３ｃ、第３コネクタ２４ｃ、第４コネクタ３１ｃが設けられている。インレットと接続された第１電源ケーブル２５ｃを第１コネクタ２２ｃへ接続することにより、ＡＣ電源をＡＣライン分岐手段１８ｃへ供給する。
【００５６】
第１コネクタ２２ｃは分岐基板１９ｃ上でスイッチ２１ｃと接続され、ＡＣラインのＯＮ／ＯＦＦの切り替えを行なう。第１コネクタ２２ｃは分岐基板１９ｃ上で、スイッチ２１ｃを経由した後に、第２コネクタ２３ｃ，第３コネクタ２４ｃ，第４コネクタ３１ｃへ並列に接続され、ＡＣラインは３つに分岐される。
【００５７】
第２電源ケーブル２６ｃを第２コネクタ２３ｃと画像形成装置本体へ接続することにより、画像形成装置本体用ＥＣＵ基板１７上の画像形成装置本体用ＡＣ／ＤＣコンバータへＡＣ電源が供給される。
【００５８】
第３電源ケーブル２７ｃを第３コネクタ２４ｃへ接続することにより、ステイプラー用ＡＣ／ＤＣコンバータ２８へＡＣ電源が供給される。そこで変換されたＤＣ電源が、第１ＤＣ電源ケーブル２９を経由し、ステイプラー３０へ供給される。
【００５９】
第４電源ケーブル３２ｃを第４コネクタ３１ｃへ接続することにより、読み取りスキャナ用ＡＣ／ＤＣコンバータ３３へＡＣ電源が供給される。そこで変換されたＤＣ電源が、第２ＤＣ電源ケーブル３４を経由し、読み取りスキャナ３へ供給される。
【００６０】
以上説明したように本実施例では、画像形成装置１にオプションを付加する場合でも、画像形成装置本体のＡＣ／ＤＣコンバータの容量を大きくする必要がないため、画像形成装置本体のＥＣＵ基板（画像形成装置本体用ＥＣＵ基板１７）を大きくすることなく、オプションを付加することが可能となる。
【００６１】
そのため、各種オプション機器を設置可能な画像形成装置において、画像形成装置本体の小型化が可能となる。すなわち、複数のオプション機器を設置する場合や、オプション機器を設置（付加）するモデルと設置しないモデルとが混在する場合、画像形成装置本体を大きくする必要がなくなる。特に、オプション機器を設置するモデルと設置しないモデルとが混在する画像形成装置において、オプションを設置しないモデルの画像形成装置本体を大きくする必要がなくなり、画像形成装置本体の小型化が可能となる。
【００６２】
なお、本実施例においては、２つのオプションを付加する場合を述べたが、より多くのオプションを付加する場合も同様にコネクタ、ケーブル、ＡＣ／ＤＣコンバータを増やすことにより、対応することができる。また、本実施例においては、２つのオプションを付加する場合において、オプション機器用のＡＣ／ＤＣコンバータをオプション毎にそれぞれ設けたが、これに限らず、オプション機器用として（画像形成装置本体のＡＣ／ＤＣコンバータとは異なる）１つのＡＣ／ＤＣコンバータを用いるものであってもよい。この場
合、ＡＣライン分岐手段１８ａにより分岐したＡＣラインは１つ（第３電源ケーブル２７ｃか第４電源ケーブル３２ｃ）となる。
【図面の簡単な説明】
【００６３】
【図１】本発明の実施例１においてＡＣ電源供給経路分岐手段の取り付け構成を示す概略斜視図である。
【図２】本発明の実施例１においてＡＣ電源供給経路分岐手段の拡大図である。
【図３】本発明の実施例に係る画像形成装置のプリンタの内部構造を示す概略断面図である。
【図４】本発明の実施例２においてＡＣ電源供給経路分岐手段の取り付け構成を示す概略斜視図である。
【図５】本発明の実施例２においてＡＣ電源供給経路分岐手段の拡大図である。
【図６】本発明の実施例３においてＡＣ電源供給経路分岐手段の取り付け構成を示す概略斜視図である。
【図７】本発明の実施例３においてＡＣ電源供給経路分岐手段の拡大図である。
【図８】本発明の実施例１において電源の接続を示す模式図である。
【図９】本発明の実施例２において電源の接続を示す模式図である。
【図１０】本発明の実施例３において電源の接続を示す模式図である。
【図１１】従来技術において電源の接続を示す模式図である。
【符号の説明】
【００６４】
１  画像形成装置
２  プリンタ
３  読み取りスキャナ
４  プロセスカートリッジ
５  感光ドラム
６  レーザスキャナユニット
７  ポリゴンミラー
８  給紙カセット
９  給紙ローラ
１０  シート分離手段
１１  搬送ローラ対
１２  転写ローラ
１３  定着フィルム
１４  加圧ローラ
１５  排紙ローラ対
１６  排紙積載部
１７  ＥＣＵ基板
１８ａ，１８ｂ，１８ｃ  ＡＣ電源供給経路分岐手段
１９ａ，１９ｂ，１９ｃ  分岐基板
２０ａ，２０ｂ，２０ｃ  分岐基板保持部材
２１ａ，２１ｂ，２１ｃ  スイッチ
２２ａ，２２ｃ  第１コネクタ
２３ａ，２３ｃ  第２コネクタ
２４ａ，２４ｃ  第３コネクタ
２５ａ，２５ｂ，２５ｃ  第１電源ケーブル
２６ａ，２６ｂ，２６ｃ  第２電源ケーブル
２７ａ，２７ｂ，２７ｃ  第３電源ケーブル
２８  ＡＣ／ＤＣコンバータ
２９  ＤＣ電源ケーブル
３０  ステイプラー
３１ａ，３１ｂ，３１ｃ  第４コネクタ
３２ａ，３２ｂ，３２ｃ  第４電源ケーブル
３３  ＡＣ／ＤＣコンバータ
３４  ＤＣ電源ケーブル
【図１】
2006047774.tif 000003
【図２】
2006047774.tif 000004
【図３】
2006047774.tif 000005
【図４】
2006047774.tif 000006
【図５】
2006047774.tif 000007
【図６】
2006047774.tif 000008
【図７】
2006047774.tif 000009
【図８】
2006047774.tif 000010
【図９】
2006047774.tif 000011
【図１０】
2006047774.tif 000012
【図１１】
2006047774.tif 000013